(57)【要約】      （修正有）【課題】二つの鍋を回動可能に連結する連結部等を備えることなく、簡素な構成にて蒸し焼き可能な鍋及び鍋セットを提供する。【解決手段】鍋は、底面部１と、底面部１の周縁部分から上側に突出した周面部２と、周面部２の上縁部分にて対向位置に設けられた二つの取手部３とを備える。一方の取手部３の上面に上向きに突出した凸部４が設けられており、他方の取手部３の上面に凸部４に対応した形状を有する凹部５が設けられていることを特徴とする。【選択図】図１
0003198157.tif 000002
【実用新案登録請求の範囲】
【請求項１】
底面部と、該底面部の周縁部分から上側に突出した周面部と、該周面部の上縁部分にて対向位置に設けられた二つの取手部とを備える鍋において、
一方の前記取手部の上面に上向きに突出した凸部が設けられており、他方の前記取手部の上面に前記凸部に対応した形状を有する凹部が設けられていること
を特徴とする鍋。
【請求項２】
前記凸部及び凹部が平面視円弧状、直線状、円形状又は多角形状をなすこと
を特徴とする請求項１に記載の鍋。
【請求項３】
前記底面部に上側に突出したリブが設けられていること
を特徴とする請求項１又は２に記載の鍋。
【請求項４】
請求項１から３のいずれか一つに記載の鍋を二つ備え、
一方の前記鍋を上下逆さまにして他方の前記鍋の上側に配置した場合に、前記一方の鍋の凸部が前記他方の鍋の凹部に嵌合し、前記他方の鍋の凸部が前記一方の鍋の凹部に嵌合すること
を特徴とする鍋セット。
【考案の詳細な説明】
【技術分野】
【０００１】
本考案は食品を加熱するための鍋及び鍋セットに関する。
【背景技術】
【０００２】
従来食品を加熱するための蒸し焼き鍋が提案されている（例えば特許文献１参照）。特許文献１に記載の蒸し焼き鍋は、略同形状の二つの鍋の縁部分を水平軸回りに回動可能な連結部によって連結している。そのため、一方の鍋を他方の鍋の上側に配置させ、蓋として機能させることができる。
【先行技術文献】
【特許文献】
【０００３】
【特許文献１】実用新案登録第３１９３２１４号公報
【考案の概要】
【考案が解決しようとする課題】
【０００４】
蒸し焼き鍋は網及び網の位置調整機構を更に備えており、構成が複雑である。
【０００５】
本考案は斯かる事情に鑑みてなされたものであり、簡素な構成にて蒸し焼き可能な鍋を提供することを目的とする。
【課題を解決するための手段】
【０００６】
本考案に係る鍋は、底面部と、該底面部の周縁部分から上側に突出した周面部と、該周面部の上縁部分にて対向位置に設けられた二つの取手部とを備える鍋において、一方の前記取手部の上面に上向きに突出した凸部が設けられており、他方の前記取手部の上面に前記凸部に対応した形状を有する凹部が設けられていることを特徴とする。
【０００７】
本考案においては、二つの鍋を準備し、一方の鍋をひっくり返し、他方の鍋の上側に配置する。このとき一方の鍋の凸部／凹部を他方の鍋の凹部／凸部に対向させる。そして一方の鍋の凸部／凹部を他方の鍋の凹部／凸部に嵌合させ、二つの鍋の位置ずれを防止する。
【０００８】
本考案に係る鍋は、前記凸部及び凹部が平面視円弧状、直線状、円形状又は多角形状をなすことを特徴とする。
【０００９】
本考案においては、凸部及び凹部を、平面視円弧状、直線上、円形状又は多角形状に形成し、鍋の位置ずれ防止を実現する。
【００１０】
本考案に係る鍋は、前記底面部に上側に突出したリブが設けられていることを特徴とする。
【００１１】
本考案においては、リブ上に食品を載置させた場合、加熱によって食品から滲出した油又は水分等がリブの周囲に移動し、食品から離れるので、食品から不要な油及び水分等を除去し易くなる。
【００１２】
本考案に係る鍋セットは、前述したいずれかの鍋を二つ備え、一方の前記鍋を上下逆さまにして他方の前記鍋の上側に配置した場合に、前記一方の鍋の凸部が前記他方の鍋の凹部に嵌合し、前記他方の鍋の凸部が前記一方の鍋の凹部に嵌合することを特徴とする。
【００１３】
本考案においては、一方の鍋の凸部／凹部が他方の鍋の凹部／凸部に嵌合し、二つの鍋の位置ずれが防止される。
【考案の効果】
【００１４】
本考案に係る鍋及び鍋セットにあっては、一方の鍋の凸部／凹部を他方の鍋の凹部／凸部に嵌合させることによって、二つの鍋の位置ずれを防止し、簡素な構成にて食品の蒸し焼きを実現することができる。また同一の金型から二つの鍋を製造することができる。
【図面の簡単な説明】
【００１５】
【図１】実施の形態１に係る鍋を示す斜視図である。
【図２】鍋を示す正面図である。
【図３】鍋を示す左側面図である。
【図４】鍋を示す右側面図である。
【図５】鍋を示す平面図である。
【図６】鍋を示す底面図である。
【図７】図５のＶＩＩ−ＶＩＩ線を切断線とした断面図である。
【図８】一方の鍋が他方の鍋の蓋として機能している状態を示す斜視図である。
【図９】実施の形態１に係る鍋の変更例を示す斜視図である。
【図１０】変更例に係る鍋が他の鍋の蓋として機能している状態を示す斜視図である。
【図１１】鍋の凹部及び凸部の一部を実線で表し、その他の部分を破線で表した斜視図である。
【図１２】鍋の凹部及び凸部の一部を実線で表し、その他の部分を破線で表した正面図である。
【図１３】鍋の凹部及び凸部の一部を実線で表し、その他の部分を破線で表した左側面図である。
【図１４】鍋の凹部及び凸部の一部を実線で表し、その他の部分を破線で表した右側面図である。
【図１５】鍋の凹部及び凸部の一部を実線で表し、その他の部分を破線で表した平面図である。
【図１６】鍋の凹部及び凸部の一部を実線で表し、その他の部分を破線で表した底面図である。
【図１７】実施の形態２に係る鍋を示す平面図である。
【図１８】図１７のＸＶＩＩＩ−ＸＶＩＩＩ線を切断線とした断面図である。
【図１９】実施の形態３に係る鍋を示す平面図である。
【図２０】図１９のＸＸ−ＸＸ線を切断線とした断面図である。
【考案を実施するための形態】
【００１６】
（実施の形態１）
以下本考案を実施の形態１に係る鍋を示す図面に基づいて説明する。図１は鍋を示す斜視図、図２は鍋を示す正面図、図３は鍋を示す左側面図、図４は鍋を示す右側面図、図５は鍋を示す平面図、図６は鍋を示す底面図、図７は図５のＶＩＩ−ＶＩＩ線を切断線とした断面図である。なお背面図は正面図と対称につき、省略する。
【００１７】
なお図１及び図５において、後述するリブ１ａに表された細線及び図６において、リブ１ａに対応する位置に表された細線はいずれも立体表面の形状を特定するためのものである。
【００１８】
鍋は、円形板状をなし、水平方向に延びた底面部１と、該底面部１の周縁部から上側に突出し、円環状をなす周面部２と、該周面部２の上縁部分から、底面部１の径方向外向きに突出した二つの取手部３、３とを備える。
【００１９】
底面部１には、平面視直線状をなす複数のリブ１ａ、１ａ、・・・、１ａが設けられている。リブ１ａは、底面部１を下側からプレスすることによって成形されており、底面部１の下面におけるリブ１ａに対応する部分は上向きに窪んでいる。
【００２０】
二つの取手部３は、底面部１の中心又は該中心を通る直線に関して略対称な位置に配されており、互いに対向した位置に配されている。取手部３は底面部１に略平行な板状をなし、一方の取手部３の上面に、上向きに突出した平面視円弧状をなす凸部４が形成されており、他方の取手部３の上面に平面視円弧状をなす溝状の凹部５が形成されている。凸部４及び凹部５は底面部１の周縁に沿って形成されている。凹部５の形状は凸部４を上下逆にした形状をなし、凸部４の形状に対応している。
【００２１】
凸部４は、取手部３を下側からプレスすることによって成形されており、取手部３の下面における凸部４に対応する部分は上向きに窪んでいる。また凹部５は、取手部３を上側からプレスすることによって成形されており、取手部３の下面における凹部５に対応する部分は下向きに突出している。
【００２２】
ユーザは二つの鍋を準備することによって、食品を蒸し焼きにすることができる。図８は一方の鍋が他方の鍋の蓋として機能している状態を示す斜視図である。図８に示すように、一方の鍋が、底面部１側を上側にして、他方の鍋の上に配置されている。二つの鍋それぞれの取手部３は上下に対向している。
【００２３】
一方の鍋の凸部４は他方の鍋の凹部５の上側に位置し、該凸部４は凹部５に嵌合している。また一方の鍋の凹部５は、他方の鍋の凸部４の上側に位置し、該凸部４は凹部５に嵌合している。そのため、一方の鍋が水平方向に移動することを防止し、他方の鍋に対し、確実に蓋をすることができ、例えばオーブン又はオーブントースターにて加熱することによって、簡素な構成にて食品を蒸し焼きにすることができる。また二つの鍋を同一の金型で製作することができるので、製造効率を高めることができる。
【００２４】
なお底面部１側の直径が底面部１の反対側の直径よりも小さくなるように、周面部２を傾斜させてもよい。この場合、一方の鍋を、底面部１側を下にして、他方の鍋に重ねた場合、他方の鍋の凸部４は、一方の鍋の凸部４の下側に形成された窪みに嵌合する。また他方の鍋の凹部５には、一方の鍋の凹部５の下側に形成された突出部分が嵌合する。また他方の鍋のリブ１ａは、一方の鍋のリブ１ａの下側に形成された窪みに嵌合する。そのため、重ねた二つの鍋の上下寸法は単一の鍋の上下寸法と略同じであり、重ねた二つの鍋はキャビネットに収容しやすい。
【００２５】
リブ１ａ上に食品を載置させた場合、加熱によって食品から滲出した油又は水分等がリブ１ａの周囲に移動し、食品から離れるので、食品から不要な油及び水分等を除去し易くなる。
【００２６】
図９は実施の形態１に係る鍋の変更例を示す斜視図、図１０は変更例に係る鍋が他の鍋の蓋として機能している状態を示す斜視図である。変更例に係る鍋はリブ１ａを備えず、底面部１は平坦な形状をなす。底面部１が平坦な形状なので、お好み焼き、ホットケーキ等を加熱する場合に有利である。
【００２７】
またリブ１ａを有する鍋及びリブ１ａを有さない鍋（変更例）をセット販売することによって、ユーザは用途に応じた適切な鍋を下側に位置させることができる。例えば、肉等の油分の覆い食品を加熱する場合は、リブ１ａを有する鍋を下側にし、リブ１ａを有さない鍋を上側にして、蓋として使用することができる（図１０参照）。一方、お好み焼き、ホットケーキ等を加熱する場合は、リブ１ａを有さない鍋を下側にし、リブ１ａを有する鍋を上側にして、蓋として使用することができる（図８参照）。
【００２８】
またリブ１ａを有する鍋及びリブ１ａを有さない鍋について、底面部１側の直径が底面部１の反対側の直径よりも小さくなるように、周面部２を傾斜させた場合に、リブ１ａを有する鍋を、底面部１を下側にして、リブ１ａを有さない鍋の上に重ねると、下側の鍋（リブ１ａを有さない鍋）の凸部４は、上側の鍋（リブ１ａを有する鍋）の凸部４の下側に形成された窪みに嵌合する。また下側の鍋の凹部５には、上側の鍋の凹部５の下側に形成された突出部分が嵌合する。
【００２９】
またリブ１ａを有する鍋が上側に位置する限り、重ねた二つの鍋の上下寸法がリブ１ａによって大きくなることはなく、重ねた二つの鍋の上下寸法は単一の鍋の上下寸法と略同じであり、キャビネットに収容しやすい。また変更例に係る二つの鍋を上下に重ねた場合も同様である。
【００３０】
図１１は鍋の凹部５及び凸部４の一部を実線で表し、その他の部分を破線で表した斜視図、図１２は鍋の凹部５及び凸部４の一部を実線で表し、その他の部分を破線で表した正面図、図１３は鍋の凹部５及び凸部４の一部を実線で表し、その他の部分を破線で表した左側面図、図１４は鍋の凹部５及び凸部４の一部を実線で表し、その他の部分を破線で表した右側面図、図１５は鍋の凹部５及び凸部４の一部を実線で表し、その他の部分を破線で表した平面図、図１６は鍋の凹部５及び凸部４の一部を実線で表し、その他の部分を破線で表した底面図である。なお一点鎖線は実線及び破線表記の境界を示す。背面図は正面図と対称につき、省略する。
【００３１】
鍋の意匠性において、重要な部分は、凸部４及び凹部５の全部又は一部である。凸部４及び凹部５の一部の一例を、図１２〜図１６にて実線で表した。図１２〜図１６において、凸部４及び凹部５の中央部分が実線で表れている。凸部４及び凹部５の一部は、図１２〜図１６にて実線で表した中央部分に限られず、その他の部分（例えば端部分）でもよい。
【００３２】
（実施の形態２）
以下本考案を実施の形態２に係る鍋を示す図面に基づいて説明する。図１７は鍋を示す平面図、図１８は図１７のＸＶＩＩＩ−ＸＶＩＩＩ線を切断線とした断面図である。凸部４ａ及び凹部５ａは平面視直線状をなす。
【００３３】
実施の形態２に係る構成の内、実施の形態１と同様な構成については同じ符号を付し、その詳細な説明を省略する。
【００３４】
（実施の形態３）
以下本考案を実施の形態３に係る鍋を示す図面に基づいて説明する。図１９は鍋を示す平面図、図２０は図１９のＸＸ−ＸＸ線を切断線とした断面図である。取手部３それぞれに、平面視円形状をなす複数の凸部４ｂ及び凹部５ｂがそれぞれ設けられている。凸部４ｂ及び凹部５ｂの数は同じであり、凸部４ｂ及び凹部５ｂは互いに対応した形状をなす。
【００３５】
なお凸部４ｂ及び凹部５ｂの形状を、平面視円形状に代えて、平面視多角形状に変更してもよい。例えば平面視三角形状、四角形状又は星形状に変更してもよい。
【００３６】
実施の形態３に係る構成の内、実施の形態１又は２と同様な構成については同じ符号を付し、その詳細な説明を省略する。
【００３７】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００３８】
１  底面部
１ａ  リブ
２  周面部
３  取手部
４、４ａ、４ｂ  凸部
５、５ａ、５ｂ  凹部
【図１】
0003198157.tif 000003
【図２】
0003198157.tif 000004
【図３】
0003198157.tif 000005
【図４】
0003198157.tif 000006
【図５】
0003198157.tif 000007
【図６】
0003198157.tif 000008
【図７】
0003198157.tif 000009
【図８】
0003198157.tif 000010
【図９】
0003198157.tif 000011
【図１０】
0003198157.tif 000012
【図１１】
0003198157.tif 000013
【図１２】
0003198157.tif 000014
【図１３】
0003198157.tif 000015
【図１４】
0003198157.tif 000016
【図１５】
0003198157.tif 000017
【図１６】
0003198157.tif 000018
【図１７】
0003198157.tif 000019
【図１８】
0003198157.tif 000020
【図１９】
0003198157.tif 000021
【図２０】
0003198157.tif 000022